(57)【特許請求の範囲】
【請求項１】
操作スイッチと、
前記操作スイッチに隣り合うように配され、前面が、前記操作スイッチの前面と略面一とされているコンセントカバー部材と、
前面が、前記コンセントカバー部材の前面と略面一とされているコンセント本体と、
前記コンセントカバー部材とは別体で構成された化粧カバーと、を備え、
前記化粧カバーの前面が、前記操作スイッチの前面と略面一にされていることを特徴とする洗面化粧台。
【請求項２】
前記操作スイッチ及び前記コンセントカバー部材の上下幅は、前記化粧カバーの前面の上下幅と略同一にされていることを特徴とする請求項１に記載の洗面化粧台。
【請求項３】
前記操作スイッチ及び前記コンセントカバー部材の上部に設けられたミラーキャビネットを更に備え、
前記ミラーキャビネットは、開閉可能なミラー部と、前記ミラー部の後方に配された収納部と、を備えており、
前記化粧カバーの上端には、前記ミラー部よりも後方まで凹んだ凹部が備えられていることを特徴とする請求項１または２に記載の洗面化粧台。
【請求項４】
前記ミラー部の横幅と、前記化粧カバーの横幅とは、略同一であることを特徴とする請求項３に記載の洗面化粧台。
【請求項５】
水栓本体と、前記水栓本体に接続された吐水管と、を更に備え、
前記水栓本体は、前記化粧カバーによって覆われており、
前記化粧カバーには、前記吐水管を出すための開口が設けられていることを特徴とする請求項１から４のいずれか一項に記載の洗面化粧台。
【発明の詳細な説明】
【技術分野】
【０００１】
本発明は洗面化粧台に関するものである。
【背景技術】
【０００２】
従来、この種の洗面化粧台として特許文献１に開示されたものが知られている。このものでは、操作スイッチ及びコンセントが備えられている。
操作スイッチ及びコンセントの構造としては、例えば、操作スイッチ及びコンセントを金枠で一体化したものも知られている。そして、金枠をベース部材にねじで取り付け、さらに金枠とねじを隠すために、上からカバー部材を取り付けている。
【先行技術文献】
【特許文献】
【０００３】
【特許文献１】特開２０１０−５７７５３号公報
【発明の概要】
【発明が解決しようとする課題】
【０００４】
しかし、この技術では、金枠とねじをカバー部材で隠す必要があるため、デザイン上の制約があり、また、清掃性についても更なる改良が求められていた。
【０００５】
本発明は、上記従来の実情に鑑みてなされたものであって、デザイン性が高く、清掃性がよい洗面化粧台を提供することを解決すべき課題としている。
【課題を解決するための手段】
【０００６】
本発明の洗面化粧台は、ミラーキャビネットと、
前記ミラーキャビネットの下部に設けられた操作スイッチと、
前記操作スイッチに隣り合うように配され、それら前面が前記操作スイッチの前面と略面一とされているコンセント本体とコンセントカバー部材と、
を備えていることを特徴とする。
【０００７】
この洗面化粧台は、操作スイッチとコンセントとが隣り合うように配されている。そして、コンセント本体とコンセントカバー部材の前面が、操作スイッチの前面と略面一とされている。従って、操作スイッチとコンセントとが一体的に見え、見栄えがよい。また、コンセント本体とコンセントカバー部材の前面が、操作スイッチの前面と略面一であるから、清掃性がよい。
【図面の簡単な説明】
【０００８】
【図１】実施例１の洗面化粧台を示す正面図である。
【図２】実施例１の洗面化粧台の要部を示す分解斜視図である。
【図３】実施例１の洗面化粧台の要部を示す斜視図である。
【図４】実施例１の洗面化粧台を示す側面図である。
【図５】実施例１の洗面化粧台の要部を示す側面図である。
【図６】実施例１の洗面化粧台の要部を示す斜視図である。
【発明を実施するための形態】
【０００９】
本発明における好ましい実施の形態を説明する。
【００１０】
本発明の洗面化粧台において、前記ミラーキャビネットの下方には、化粧カバーが備えられており、前記操作スイッチの前面を、前記化粧カバーの前面と略面一にできる。この場合、操作スイッチ及びコンセントと、化粧カバーとが一体的に見えるから、見栄えがよい。さらに、この洗面化粧台は、化粧カバーを拭きつつ、同じ動作で、操作スイッチ、コンセントも拭くことができる。このため、この洗面化粧台は、掃除しやすい。
【００１１】
本発明の洗面化粧台において、前記操作スイッチ及び前記コンセントカバー部材の上下幅は、前記化粧カバーの前面の上下幅と略同一にできる。この場合、操作スイッチ及びコンセントと、化粧カバーとが一体的に見えるから、見栄えがよい。さらに、この洗面化粧台は、化粧カバーを拭きつつ、同じ動作で、操作スイッチ、コンセントも拭くことができる。このため、この洗面化粧台は、掃除しやすい。
【００１２】
本発明の洗面化粧台において、前記ミラーキャビネットは、開閉可能なミラー部と、前記ミラー部の後方に配された収納部と、を備えており、前記化粧カバーの上端には、前記ミラー部よりも後方まで凹んだ凹部が備えられていることができる。この場合、化粧カバーの凹部に手を入れることができるから、ミラー部の開閉操作が容易である。
【００１３】
本発明の洗面化粧台において、前記ミラー部の横幅と、前記化粧カバーの横幅とを、略同一にできる。この場合、ミラー部と化粧カバーの横幅が揃っているから、見栄えがよい。さらに、ミラー部と化粧カバーの横幅が揃っているから、一度の動作で拭きやすく、掃除しやすい。
【００１４】
本発明の洗面化粧台において、前記ミラーキャビネットの下部には、水栓本体と、前記水栓本体に接続された吐水管と、が備えられており、前記水栓本体は、前記化粧カバーによって覆われており、前記化粧カバーには、前記吐水管を出すための開口を設けることができる。この場合、水栓本体は、化粧カバーによって覆われているから、見栄えがよい。さらに、水栓本体は、化粧カバーによって覆われているから、拭きやすく、掃除しやすい。
【００１５】
次に、本発明の洗面化粧台を具体化した実施例１について、図面を参照しつつ説明する。
【００１６】
＜実施例１＞
実施例１の洗面化粧台１は、図１〜６に示すように、ミラーキャビネット３、操作スイッチ５、及びコンセント７を備えている。
【００１７】
洗面化粧台１では、下部キャビネット１０の上方側に洗面ボウル１１が載置されている。洗面ボウル１１は、底面１１Ａが、後述する排水孔１１Ｂに向かって若干の下り傾斜を有する略平坦とされているとともに、底面１１Ａから上方に向かうにつれて広がる形態とされている。洗面ボウル１１は、底面１１Ａの略中央に略円形の排水孔１１Ｂを備え、この排水孔１１Ｂには、排水栓１１Ｃが配されている。排水栓１１Ｃは、その外形が略円形状とされ、排水孔１１Ｂに嵌まることで排水孔１１Ｂを閉じるようにされる一方、排水孔１１Ｂから外れることで排水孔１１Ｂを開くようにされている。
【００１８】
ミラーキャビネット３は、前面が開放された収納部３Ａと、収納部３Ａの前面の中央部を覆うように配されたメインミラー４Ａと、メインミラー４Ａの左側に配されたサイドミラー４Ｂと、メインミラー４Ａの右側に配されたサイドミラー４Ｃと、を備えている。収納部３Ａは、複数の棚板が備えられて複数段にされ、物品を整理して収納可能とされている。メインミラー４Ａ、サイドミラー４Ｂと、サイドミラー４Ｃは、それぞれ、縦長の略矩形状とされている。メインミラー４Ａ、サイドミラー４Ｂと、サイドミラー４Ｃは、それぞれの高さは、略同一とされている。メインミラー４Ａの幅は、サイドミラー４Ｂやサイドミラー４Ｃの幅よりも広くされている。メインミラー４Ａの右側部、サイドミラー４Ｂの右側部、サイドミラー４Ｃの左側部には、それぞれヒンジ部４Ｄが備えられ、各々単独で開閉可能とされている。メインミラー４Ａ、サイドミラー４Ｂ、及びサイドミラー４Ｃのミラー全体が本発明のミラー部４に相当する。
【００１９】
ミラーキャビネット３の上端側には、横方向に延びる照明ランプ１３が設けられている。照明ランプ１３には、複数個のＬＥＤ光源が略等間隔で横方向に並ぶように内蔵されて、横方向に幅広い照射範囲を確保している。照明ランプ１３のカバー１３Ａは、半透明の樹脂からなり、前方側を照らすための前方照射面、前方斜め下側を照らすための下方照射面を有する。側方から見ると、下方照射面は、収納部３Ａから、斜め上方に傾斜して延びており、この下方照射面の上端から引き続き、屈曲して立ち上がるように前方照射面が形成されている。前方照射面と下方照射面とは一体的な曲面として形成されている。これにより、照明ランプ１３のデザイン性が高くなっている。
【００２０】
操作スイッチ５は、ミラーキャビネット３の右側の下部に設けられている。操作スイッチ５は、横長の略矩形状をなしており、照明ランプ１３の点灯や消灯を操作する部分と、照明ランプ１３の強さを操作する部分とが一体とされたものである。例えば、操作スイッチ５の左側に点灯や消灯を操作する部分が配され、右側に強さを操作する部分が配され、これらの部分の境界に境界線が施されており、使用者の操作性を向上させている。操作スイッチ５の前面５Ａは、略フラットとされており、周縁部はわずかに面取りされた形状とされている。
【００２１】
操作スイッチ５には、その右側面から側方に突出し、長方形状の取り付け部５Ｂが形成され、この取り付け部５Ｂは円形の取り付け孔５Ｃを有している。ミラーキャビネット３の右側の下部に設けられたスイッチベース部１５には、ビス孔１５Ａが形成されている。取り付け部５Ｂの取り付け孔５Ｃにビスを前方から通して、ビスの先端をビス孔１５Ａに入れて締めると、操作スイッチ５がスイッチベース部１５に固定されるようになっている。
【００２２】
コンセント７は、図３に示すように、操作スイッチ５の右隣に隣接するように配されている。コンセント７は、コンセント本体８、及びコンセントカバー部材９を備える。コンセント本体８は、前方から見ると横方向に長い長円状のベース部８Ａを有する。ベース部８Ａの略中央には、円柱形で前方に突出した突出部８Ｂが形成されており、突出部８Ｂに一対の差し込み口８Ｃが形成されている。突出部８Ｂの前面８Ｄは、差し込み口８Ｃを除いた部分が略フラットとされている。
【００２３】
ベース部８Ａの両端には、円形の取り付け孔が形成されている。ミラーキャビネット３のスイッチベース部１５には、ビス孔が形成されている。ベース部８Ａの取り付け孔にビスを前方から通して、ビスの先端をスイッチベース部１５のビス孔に入れて締めると、コンセント本体８がスイッチベース部１５に固定されるようになっている。
【００２４】
コンセントカバー部材９は、横長の矩形状をなし、略フラットな前面９Ａを有している。略中央にコンセント本体８の突出部８Ｂの径よりも若干大きい直径の孔部９Ｂを有している。コンセント本体８がスイッチベース部１５に固定された状態で、コンセント本体８上からコンセントカバー部材９を取り付けることで、コンセント本体８の突出部８Ｂが、孔部９Ｂから露出するようにされている。この状態で、コンセントカバー部材９の前面９Ａは、コンセント本体８の前面８Ｄと略面一とされている。実施例１において、コンセント本体の前面８Ｄとコンセントカバー部材９の前面９Ａは、操作スイッチ５の前面５Ａと略面一とされている。
【００２５】
化粧カバー（スイッチパネル）１７は、ミラーキャビネット３の下方に備えられている。化粧カバー１７は、全体として横長形状をしており、後方が開放されている。化粧カバー１７は、横長板状の前壁部１７Ａと、前壁部１７Ａの上端部から後退しつつ上方に曲面を描きながら延びる上壁部１７Ｂと、両側を形成する側壁部１７Ｃと、底面を形成する底壁部１７Ｄと、を備える。化粧カバー１７の天井部分には、複数の取り付け孔１７Ｅを形成した天井壁部１７Ｆが両側の側壁部１７Ｃを架け渡すように配されている。ミラーキャビネット３の下側に形成された爪部に取り付け孔１７Ｅを係止することによって、化粧カバー１７は、ミラーキャビネット３に着脱可能に取り付けられる。化粧カバー１７の横幅は、メインミラー３Ｂ、サイドミラー３Ｃ、及びサイドミラー３Ｄが横に並べられたミラー部４の幅と略同一とされている。
【００２６】
前壁部１７Ａは、右端側が略矩形に切り欠かれており、ここから、コンセント７の前面（前面８Ｄ及び前面９Ａ）、及び操作スイッチ５の前面５Ａが露出するようにされている。前壁部１７Ａの前面１７Ｇの上下幅は、コンセントカバー部材９の前面９Ａの上下幅、及び操作スイッチ５の前面５Ａの上下幅と略同一とされている。また、操作スイッチ５の前面５Ａは、前壁部１７Ａの前面１７Ｇと略面一にされている。
【００２７】
化粧カバー１７の上壁部１７Ｂは、前壁部１７Ａの上端部から後退しつつ上方に延びており、凹部１９を形成している。凹部１９は、図３、５に示すように、側方からみると、略四半円状をなしており、メインミラー４Ａ、サイドミラー４Ｂ、及びサイドミラー４Ｃのいずれの鏡面よりも後方まで凹んでいる。凹部１９の奥行きは、指を入れられる程度の大きさとされている。凹部１９の上部には、メインミラー４Ａ、サイドミラー４Ｂ、及びサイドミラー４Ｃの背面の下部が露出しており、凹部１９に指を入れると、これらの背面の下部に触れることができるようにされている。
【００２８】
水栓装置２１は、ミラーキャビネット３の下方に取り付けられている。水栓装置２１は、給水の水路を開閉する水栓本体２３、及び水栓本体２３に接続された円管状の吐水管２５を備える。吐水管２５は、ミラーキャビネット３の下側の幅方向の略中央から斜め下方に向けて突出している。水栓本体２３は、化粧カバー１７によって覆われている。ハンドル２７は、細長い板状で、途中で前方へやや屈曲した形態をなしており、吐水管２５と操作スイッチ５との間から、ミラーキャビネット３の下方に垂れ下がるように取り付けられている。排水栓１１Ｃを開閉するためのレバー（引棒）２９は、ミラーキャビネット３の下側の吐水管２５の左横から、下方に向けて突出している。レバー２９の先端には、略円錐台状のつまみが取り付けられている。
【００２９】
化粧カバー１７の底壁部１７Ｄには、図６に示すように、吐水管２５に対応する位置に、吐水管２５を出すための円形の第１開口３１が形成されている。第１開口３１は、吐水管２５の外径よりも大きくされており、吐水管２５の周りに略同一幅の円環状の開口が形成されるようにされている。
【００３０】
化粧カバー１７の底壁部１７Ｄには、ハンドル２７に対応する位置に、ハンドル２７を出すための平面視矩形の第２開口３３が形成されている。第２開口３３は、ハンドル２７の可動範囲よりもやや大きく形成されている。
【００３１】
化粧カバー１７の底壁部１７Ｄには、レバー２９に対応する位置に、レバー２９を出すための円形の第３開口３５が形成されている。第３開口３５は、第１開口３１よりも小径とされている。
【００３２】
このような構成を有する洗面化粧台１は、操作スイッチ５、及びコンセント７を備えており、両者は隣接するように配されている。そして、コンセント本体８の前面８Ｄとコンセントカバー部材９の前面９Ａは、操作スイッチ５の前面５Ａと略面一とされている。従って、操作スイッチ５とコンセント７とが一体的に見え、デザイン性が高くなり、見栄えがよい。また、コンセント本体８の前面８Ｄとコンセントカバー部材９の前面９Ａが、操作スイッチ５の前面５Ａと略面一であるから、清掃性がよい。コンセント本体８、コンセントカバー部材９、及び操作スイッチ５の間に凹凸がある場合には、コンセント７及び操作スイッチ５を同時に拭こうとしても、引っかかりを感じてしまうおそれがあり、清掃性があまり高くなかった。また、凹凸の段差部分に汚れが溜まりやすい場合もあった。実施例１の洗面化粧台１では、拭き掃除をする場合に、コンセント７及び操作スイッチ５の上を横方向に一拭きすることで容易に清掃することができる。
【００３３】
実施例１の洗面化粧台１では、操作スイッチ５の前面５Ａは、化粧カバー１７の前壁部１７Ａの前面１７Ｇと略面一にされている。このため、操作スイッチ５及びコンセント７と、化粧カバー１７とが一体的に見えるから、見栄えがよい。さらに、この洗面化粧台１は、化粧カバー１７を拭きつつ、同じ動作で、操作スイッチ５、コンセント７も拭くことができる。このため、この洗面化粧台１は、掃除しやすい。化粧カバー１７の前壁部１７Ａ、コンセント本体８、コンセントカバー部材９、及び操作スイッチ５の間に凹凸がある場合には、これらを同時に拭こうとしても、引っかかりを感じてしまうおそれがあり、清掃性があまり高くなかった。実施例１の洗面化粧台１では、凹凸がなく略面一であるから、拭き掃除をする際に、境界部分で引っ掛かりが少なくなり、清掃が容易となる。
【００３４】
実施例１の洗面化粧台１では、化粧カバー１７の前壁部１７Ａの前面１７Ｇの上下幅は、コンセントカバー部材９の前面９Ａの上下幅、及び操作スイッチ５の前面５Ａの上下幅と略同一とされている。このため、操作スイッチ５及びコンセント７と、化粧カバー１７とが一体的に見えるから、見栄えがよい。さらに、この洗面化粧台１は、化粧カバー１７を拭きつつ、同じ動作で、操作スイッチ５、コンセント７も拭くことができる。このため、この洗面化粧台１は、掃除しやすい。化粧カバー１７の前壁部１７Ａの前面１７Ｇ、コンセントカバー部材９の前面９Ａ、及び操作スイッチ５の前面５Ａのいずれかの上下幅が揃っていない場合には、これらを同時に拭こうとしても、引っかかりを感じてしまうおそれがあり、清掃性があまり高くなかった。実施例１の洗面化粧台１では、化粧カバー１７の前壁部１７Ａの前面１７Ｇ、コンセントカバー部材９の前面９Ａ、及び操作スイッチ５の前面５Ａのいずれの上下幅も揃っているから、拭き掃除をする際に、これらの境界部分で引っ掛かりが少なくなり、清掃が容易となる。
【００３５】
実施例１の洗面化粧台１では、化粧カバー１７の上壁部１７Ｂは、前壁部１７Ａの上端部から後退しつつ上方に延びており、凹部１９を形成している。凹部１９は、側方からみると、略四半円状をなしており、ミラー部４よりも後方まで凹んでいる。使用者が、メインミラー４Ａ、サイドミラー４Ｂ、及びサイドミラー４Ｃのいずれかを開こうとする場合、凹部１９に指を入れることができるから、容易に開くことができる。また、凹部１９は、側方からみると、略四半円状をなしているから、指を入れると、指は凹部の曲面に沿ってスムーズに上方に案内されて、メインミラー４Ａ、サイドミラー４Ｂ、及びサイドミラー４Ｃのいずれかの背面の下部まで誘導される。よって、スムーズな操作ができる。
【００３６】
実施例１の洗面化粧台１では、化粧カバー１７の横幅は、ミラー部４の幅と略同一とされている。このように、ミラー部４の幅と化粧カバー１７の横幅が揃っているから、デザイン性が高く、統一感があり、見栄えがよい。また、ミラー部４の幅と化粧カバー１７の横幅が揃っているから、揃っていない場合に比べて、掃除しやすい。すなわち、ミラー部４の幅と化粧カバー１７の横幅が揃っていない場合は、洗面化粧台１の前側の側部を縦方向に拭こうとすると、ミラー部４から化粧カバー１７にかけての段差において、スムーズに清掃することができない。実施例１では、ミラー部４の幅と化粧カバー１７の横幅が揃っているから、揃っていない場合に比べて、掃除しやすい。
【００３７】
実施例１の洗面化粧台１では、水栓本体２３は、化粧カバー１７によって覆われている。よって、水栓本体２３が化粧カバー１７の後方に隠れて、見栄えがよい。さらに、水栓本体２３は、化粧カバー１７によって覆われているから、拭きやすく、掃除しやすい。
【００３８】
本発明は上記記述及び図面によって説明した実施例に限定されるものではなく、例えば次のような実施例も本発明の技術的範囲に含まれる。
（１）実施例１では、操作スイッチは、照明ランプの操作するためのものとしたが、照明ランプを操作するものに限らず、他の機器を操作するためのスイッチとしてもよい。
（２）実施例１では、操作スイッチは、照明ランプの点灯や消灯、照明ランプの強さの操作という複数の機能を備えていたが、これらの機能を単独で備えていてもよい。
（３）実施例１では、操作スイッチの表面には、その機能が視認可能に印字されていることとしたが、印字に限らず、機能を示す文字等を刻字していてもよい。
【符号の説明】
【００３９】
１…洗面化粧台
３…ミラーキャビネット
４…ミラー部
５…操作スイッチ
５Ａ…前面
７…コンセント
８…コンセント本体
８Ｄ…前面
９…コンセントカバー部材
９Ａ…前面
１７…化粧カバー
【図１】
0006641159.tif 000002
【図２】
0006641159.tif 000003
【図３】
0006641159.tif 000004
【図４】
0006641159.tif 000005
【図５】
0006641159.tif 000006
【図６】
0006641159.tif 000007